(57)【特許請求の範囲】
【請求項１】
シート状の面材上に角材を配置し、これら角材間の前記面材上に断熱材を有するとともに、前記面材の両端縁を前記角材の外側面に沿って上面上で折り曲げて固定可能な長さに突出させて屋根用断熱パネルを構成し、隣接する該屋根用断熱パネルの前記角材の側面同士を突き合わせるとともに、隣接する該屋根用断熱パネルの端縁の面材同士を重ねて当該角材の間から一方の角材の上面上に折り曲げて釘で固定し、この角材の上に野地板を配置したことを特徴とする屋根用断熱パネルの取付構造。
【請求項２】
前記断熱材を前記角材の高さより低くしたことを特徴とする請求項１記載の屋根用断熱パネルの取付構造。
【発明の詳細な説明】
【０００１】
【発明の属する技術分野】
この発明は、屋根用断熱パネルの取付構造に関し、屋根部分の断熱を気密状態を保持してできるようにしたもので、特に高断熱・高気密とする場合に好適なものである。
【０００２】
【従来の技術】
近年、一般木造住宅の仕様として高断熱・高気密とすることで、軸組の耐久性の向上や冷暖房負荷の低減を図ることが行われており、外断熱工法などが採用されている。
【０００３】
これまでの外断熱工法などでは、主として建物の外壁部分や天井部分に断熱パネル等を取り付けて断熱するようにしているが、建物全体の熱の出入りを検討すると、真夏日などには、小屋裏部分の温度上昇が大きく、天井部分で断熱しても天井の断熱材部分の温度も相当高温になってしまうことから、屋根部分の断熱が重要になってきている。
【０００４】
このため、屋根部分を断熱しようとする場合には、例えば図６に示すように、合板等の面材１上の両側および中間部に角材２が取付けられるとともに、これら角材２の間に発泡断熱材３などが充填された外壁部分の断熱に用いる断熱パネルと同様の断熱パネル４を用い、図７に示すように、屋根部分の母屋や垂木などの軸組５の上に断熱パネル４を突き合わせながら角材２，２同士を釘などで連結固定し、その上に野地板６を取付けて屋根材（図示せず）を取付けるようにしている。
【０００５】
ところが、このような断熱パネル４，４を突き合わせて取付けただけでは、断熱パネル４，４の突き合わせ部分を気密状態に出来ず、充分な断熱性能を確保することができない。
【０００６】
そこで、断熱パネル４，４の突き合わせ部分に小屋裏側からシール用のテープ７を貼ってシールする目地処理をしたり、断熱パネルを突き合わせる場合に突き合わせ面にウレタン等のシール材を吹き付けるなどの目地処理を行うようにして気密状態にしている。
【０００７】
【発明が解決しようとする課題】
ところが、断熱パネル４を取付けた後、小屋裏側からテープ７を貼付けて気密状態を確保しようとしても、軸組５が邪魔になりテープ７を貼ることができない部分が生じ、完全に気密状態にすることが出来ず、しかも施工が難しく、時間も掛かってしまうという問題がある。
【０００８】
また、ウレタンなどのシール材を用いる場合も断熱パネルを釘などで固定する取付作業に加え、シール材の吹付作業が加わり、施工が大変になるという問題もある。
【０００９】
この発明は、かかる従来技術の問題点に鑑みてなされたもので、屋根部分の断熱施工が容易であり、簡単に気密状態にすることができる屋根用断熱パネルの取付構造を提供しようとするものである。
【００１０】
【課題を解決するための手段】
上記従来技術が有する課題を解決するこの発明の請求項１記載の屋根用断熱パネルの取付構造は、シート状の面材上に角材を配置し、これら角材間の前記面材上に断熱材を有するとともに、前記面材の両端縁を前記角材の外側面に沿って上面上で折り曲げて固定可能な長さに突出させて屋根用断熱パネルを構成し、隣接する該屋根用断熱パネルの前記角材の側面同士を突き合わせるとともに、隣接する該屋根用断熱パネルの端縁の面材同士を重ねて当該角材の間から一方の角材の上面上に折り曲げて釘で固定し、この角材の上に野地板を配置したことを特徴とするものである。
【００１１】
この屋根用断熱パネルの取付構造によれば、シート状の面材上の両端部に角材を配置するとともにその間に断熱材を有した断熱パネルの面材の両端縁を突き出した状態にし、角材の外側面に沿って折り曲げて上面まで届く長さにしてあり、この屋根用断熱パネルを並べて屋根の軸組に取付ける場合に、角材の側面同士を突き合わせるとともに、面材同士を重ねて角材の間から一方の角材の上面上に折り曲げて釘で固定し、この上に野地板を固定することで、目地部分を面材相互でシールして取り付けることができ、屋根用断熱パネルの取付けと同時に目地部分をシール状態にできるとともに、角材の上面に重ねて固定した面材の上にさらに野地板を当てて押さえるようにし、面材相互の密着を更に良好にし、一層確実にシール状態で断熱パネルを取り付けることができるとともに、従来の屋根の構築工法と同様に角材を垂木と兼用して屋根の断熱を簡単に行うことができるようになる。
【００１２】
また、この発明の請求項２記載の屋根用断熱パネルの取付構造は、前記請求項１記載の構成に加え、前記断熱材を前記角材の高さより低くしたことを特徴とするものである。
【００１３】
この屋根用断熱パネルの取付構造によれば、断熱材の高さを角材の高さより低くするようにしており、断熱材の表面側に通気用の空間を形成できるようにしている。
【００１４】
【発明の実施の形態】
以下、この発明の実施の形態を図面を参照しながら詳細に説明する。
図１はこの発明の屋根用断熱パネルの取付構造の一実施の形態にかかる屋根用断熱パネルの外観斜視図である。
この屋根用断熱パネル１０は、屋根の軸組に垂木を取付けると同時に、断熱材の取付けおよび目地部分のシールを行うようにしたもので、シート状の面材１１を備えており、この面材１１上の両端縁に目地部分のシール用の突出部１１ａを残し、その内側にそれぞれ角材１２が平行に配置されるとともに、中間部にも角材１２が配置され、それぞれの角材１２，１２間に断熱材１３が装着され、面材１１とそれぞれの角材１２、面材１１と断熱材１３が接着剤などで固定されている。
【００１５】
そして、この屋根用断熱パネル１０では、その形状を保持するため３本の角材１２同士を連結する仮連結材１４が３本取付けてあり、運搬や施工の際にパネルとしての取扱いができ、施工後には、取り外すようにしてある。
【００１６】
この屋根用断熱パネル１０では、角材１２として通常木材が用いられ、例えば垂木と兼用できるようにその太さや長さが選定され、例えば６０×６０×３０００mm、あるいは６０×６０×４０００mmのものが使用され、屋根用断熱パネル１０の大きさとしては、例えば幅９００mm×長さ３０００mm、あるいは、長さが４０００mmに作られる。
【００１７】
また、面材１１を構成するシートとして、可撓性があれば良く、クラフト紙、ライナー紙などの紙、ポリエチレンフィルム、ポリプロピレンフォルム、ナイロンフィルムなどのプラスチックフィルム、アルミニウムや鉄などからなる金属箔、さらにプラスチックフィルムと金属箔とのラミネート品、プラスチックフィルムと紙とのラミネート品、金属箔と紙とのラミネート品等が用いられ、湿気を考慮して、気密透湿性、気密不透湿性とすることもできる。
【００１８】
そして、この面材１１には、角材１１の外側にシール用の突出部１１ａが形成されるが、この突出部１１ａは角材１２の外側面１２ａおよび上面１２ｂに沿って折り曲げたときに少なくとも上面１２ｂの幅の半分程度まで覆うことができる長さとしてある。
【００１９】
さらに、断熱材１３としては、例えばポリウレタンフォーム、ポリイソシアヌレートフォーム、ポリスチレンフォーム、ポリエチレンフォーム、フェノールフォーム、ガラスファイバー、セルロースファイバーなどを用いることができ、この断熱材１３の高さ（厚み）は角材１２の高さ（厚み）と同じにすることもできるが、角材１２の高さ（厚み）より薄くすることで、通気スペースを有する屋根用断熱パネル１０とすることができる。
【００２０】
そして、この断熱材１３は、予め成形されたパネル状の断熱材１３を角材１２の間に装着するようにしたり、あるいは発泡体の原液を面材１１上に並べた角材１２の間に噴射して発泡させて断熱材１３としたり、図２に示すように、連続供給されるシートで構成された面材２１上に発泡体の原液を噴射ノズル２２から面材２１上に噴射し、この面材２１を反転してコンベア２３上に並べられた角材２４に被せるようにして断熱材２５を取付けるようにして連続して屋根用断熱パネル２０を製造することもできる。
【００２１】
次に、このように構成した屋根用断熱パネル１０を用いる屋根用断熱パネルの取付構造について、図３を参照しながら詳細に説明する。
この屋根用断熱パネルの取付構造では、屋根の軸組である母屋等の軸組５の上にこの屋根用断熱パネル１０の角材１２を垂木と兼用するように配置して屋根用断熱パネル１０を並べ、隣接する屋根用断熱パネル１０，１０の角材１２，１２の間に面材１１，１１の突出部１１ａ，１１ａ同士を重ねて上方に突き出させ、この重ねた突出部１１ａ，１１ａを一方の角材１２の上面１２ｂに折り曲げ、角材を軸組に釘などで固定する。
【００２２】
そして、角材１２同士を連結する仮連結材１４を取り外し、この重ねられた面材１１，１１の突出部１１ａ，１１ａを釘などの固定具で角材１２に止める。
【００２３】
この後、これら屋根用断熱パネル１０，１０の角材１２，１２の上に野地板６を張り、釘などで固定して、従来と同様に屋根材を取り付ける。
【００２４】
このような屋根用断熱パネル１０の取付構造によれば、シート状の面材１１同士を重ね、しかもこの重ねた面材１１，１１を隣接する屋根用断熱パネル１０，１０の角材１２，１２の間から角材１２の外側面１２ａ，１２ａおよび一方の角材１２の上面１２ｂに沿って折り曲げて止めるようにしているので、小屋裏側である屋根用断熱パネル１０，１０の室内側の目地部分は、重ねられた面材１１，１１でシールされ、空気が通り抜けることが防止され、気密状態にすることができる。
【００２５】
そして、この屋根用断熱パネル１０の取付作業の際には、側方に突き出た面材１１の突出部１１ａ同士を重ねて上側に突き出すようにすれば良く、従来の垂木などの取付作業と殆ど変わらない作業工程で断熱材の取付け及び目地部分のシール作業が完了し、短時間に垂木の取付けおよび断熱施工ができ、目地部分のシールまで行うことができる。
【００２６】
また、この屋根用断熱パネル１０の取付構造では、面材１１の突出部１１ａ同士を釘などの固定具で角材１２の上面１２ｂに固定するようにしており、接着材等による固定と異なり、物理的な固定のため、耐久性に優れ、長期間気密状態を保持することができる。
【００２７】
さらに、屋根用断熱パネル１０を用いることで、切妻の屋根や寄せ棟の屋根等であっても、例えば図４及び図５に示すように、屋根用断熱パネル１０をそれぞれの軸組５上に配置し、面材の突出部を重ねて角材の上面で固定することで屋根部分の断熱施工を簡単に行うことができる。
【００２８】
なお、上記実施の形態では、屋根用断熱パネルの角材を垂木と兼用して軸組に取り付ける場合で説明したが、このように取付ける場合に限らず、軸組に取り付けられた垂木の上や野地板の上などに取付けるようにすることもできる。
【００２９】
【発明の効果】
以上、実施の形態とともに具体的に説明したようにこの発明の請求項１記載の屋根用断熱パネルの取付構造によれば、シート状の面材上の両端部に角材を配置するとともにその間に断熱材を有した断熱パネルの面材の両端縁を突き出した状態にし、角材の外側面に沿って折り曲げて上面まで届く長さにしたので、この屋根用断熱パネルを並べて屋根の軸組に取付ける場合に、角材の側面同士を突き合わせるとともに、面材同士を重ねて角材の間から一方の角材の上面上に折り曲げて固定でき、目地部分を面材でシールして気密状態で取り付けることができる。
【００３０】
さらに、この発明の屋根用断熱パネルの取付構造によれば、屋根用断熱パネルを取付ける場合に、その端縁に突き出した面材を隣接する屋根用断熱パネルの端縁の面材と重ねて、突き合わせた角材同士の間から上側に出して一方の角材の上面で釘で固定することで、屋根用断熱パネルの取付けと同時に目地部分をシール状態にすることができ、簡単に屋根の断熱施工ができる。
【００３１】
また、この発明の屋根用断熱パネルの取付構造によれば、屋根用断熱パネルを取付ける場合に、角材の上面に重ねて固定した面材の上にさらに野地板を当てて押さえるようにしたので、一層確実なシール状態で断熱パネルを取り付けることができるとともに、従来の屋根の構築工法と同様に角材を垂木と兼用して屋根の断熱を簡単に行うことができる。
【００３２】
これにより、屋根の裏側からテープなどでシールする場合に比べ、施工が容易となるとともに、釘などで物理的に固定でき、耐久性に優れ、長期間気密状態を保持できる。
【００３６】
また、この発明の請求項２記載の屋根用断熱パネルの取付構造によれば、断熱材の高さを角材の高さより低くするようにしたので、断熱材の表面側に通気用の空間を形成することができる。
【００３３】
【図面の簡単な説明】
【図１】この発明の屋根用断熱パネルの取付構造の一実施の形態にかかる屋根用断熱パネルの外観斜視図である。
【図２】この発明の屋根用断熱パネル取付構造に用いる屋根用断熱パネルの連続製造工程の一例にかかる側面図及びＢ−Ｂ断面図である。
【図３】この発明の屋根用断熱パネルの取付構造の一実施の形態にかかる一部分を拡大して示す工程図である。
【図４】この発明の屋根用断熱パネルの取付構造により切妻の屋根を構成する場合の軸組の側面図および屋根の平面図である。
【図５】この発明の屋根用断熱パネルの取付構造により寄せ棟の屋根を構成する場合の軸組の側面図および屋根の平面図である。
【図６】従来の屋根用断熱パネルの外観斜視図である。
【図７】従来の屋根用断熱パネルによる取付構造の側面図および部分拡大図である。
【符号の説明】
５        軸組
６        野地板
１０      屋根用断熱パネル
１１      面材
１１ａ    突出部
１２      角材
１２ａ    該側面
１２ｂ    上面
１３      断熱材
１４      仮連結材
【図１】
0003905211.tif 000002
【図２】
0003905211.tif 000003
【図３】
0003905211.tif 000004
【図４】
0003905211.tif 000005
【図５】
0003905211.tif 000006
【図６】
0003905211.tif 000007
【図７】
0003905211.tif 000008